(57)【特許請求の範囲】
【請求項１】
正面ディスプレイの裏側に背面ディスプレイを備えた折り畳み式携帯端末装置であって、
前記携帯端末装置の角度を検出する重力センサと、
前記正面ディスプレイ及び背面ディスプレイの表示のオン／オフを制御する制御手段と、
前記携帯端末装置の折り畳み開閉状態を検出する検出手段と、
反転ボタンと、
を備え、
前記制御手段は、
前記検出手段の開閉状態検出結果と前記重力センサの検出結果とにより前記正面ディスプレイ及び背面ディスプレイの表示のオン／オフを制御すると共に、
前記反転ボタンの操作に応じて、前記重力センサの検出結果と前記正面ディスプレイ及び背面ディスプレイの表示のオン／オフ制御との関係を反転させる、
ことを特徴とする折り畳み式携帯端末装置。
【請求項２】
前記重力センサによる角度の領域変化検出にヒステリシス特性を持たせたことを特徴とする請求項１記載の折り畳み式携帯端末装置。
【請求項３】
キー入力部を更に備え、前記ヒステリシス特性を決定する角度をこのキー入力部により設定することを特徴とする請求項２記載の折り畳み式携帯端末装置。
【請求項４】
正面ディスプレイの裏側に背面ディスプレイを備えた折り畳み式携帯端末装置の制御方法であって、
重力センサにより前記携帯端末装置の角度を検出し、
前記携帯端末装置の折り畳み開閉状態を検出する検出手段により前記折り畳み開閉状態を検出し、
制御手段が、前記折り畳み開閉状態の検出結果と前記重力センサの検出結果とにより前記正面ディスプレイ及び背面ディスプレイの表示のオン／オフを制御すると共に、前記携帯端末装置に設けられた反転ボタンの操作に応じて、前記重力センサの検出結果と前記正面ディスプレイ及び背面ディスプレイの表示のオン／オフ制御との関係を反転させる、
ことを特徴とする折り畳み式携帯端末装置の制御方法。
【請求項５】
前記重力センサによる角度の領域変化検出にヒステリシス特性を持たせたことを特徴とする請求項４記載の折り畳み式携帯端末装置の制御方法。
【請求項６】
前記ヒステリシス特性を決定する角度をキー入力部により設定することを特徴とする請求項５記載の折り畳み式携帯端末装置の制御方法。
【発明の詳細な説明】
【技術分野】
【０００１】
本発明は、折り畳み式携帯端末装置及び折り畳み式携帯端末装置の制御方法に関する。
【背景技術】
【０００２】
近年、携帯電話機に代表される携帯端末装置では、インターネット上のウェブサイトの閲覧やカメラ機能の高性能化、大容量データ化によるディスプレイの大型化に伴い、折り畳み式が主流となっている。一般的な折り畳み式の携帯端末装置では、液晶等からなるディスプレイとディスプレイ用バックライトとを正面側（メイン側）と背面側（サブ側）に対で備えていることが多い。この場合、携帯端末装置を開いた状態では、正面ディスプレイと正面バックライトの電源をオンにし、背面ディスプレイと背面バックライトの電源は使用状況によりオン又はオフである。一方、携帯端末装置を閉じた状態では、背面ディスプレイと背面バックライトの電源をオンにし、正面ディスプレイと正面バックライトの電源は通常はオフである。
【０００３】
特開２００２−３２０００６号公報（特許文献１）には、メインディスプレイ８と背面ディスプレイ３とを備えた折り畳み式携帯電話機が開示されている。又、特開２０００−３０７７１９号公報（特許文献２）には、折り畳み式ではない携帯端末が開示されている。この特許文献２においては、ディスプレイ（表示部）１４は１つのみであり、その電源をセンサ１０の検出結果により制御している。
【０００４】
【特許文献１】特開２００２−３２０００６号公報（図２）
【特許文献２】特開２０００−３０７７１９号公報（図６）
【発明の開示】
【発明が解決しようとする課題】
【０００５】
従来の技術による折り畳み式携帯電話機では、開いた状態で背面ディスプレイをオンとした場合、正面側と背面側の両方がオンしていることになり、電流消費が大きいという問題がある。しかし、携帯電話機を開いた状態で背面ディスプレイを常にオフとすると、両面ディスプレイの利点が無くなってしまう（例えば、正面ディスプレイでアプリケーションプログラムを起動しながら、背面ディスプレイで受信メールを確認する等）。又、閉じた状態で背面ディスプレイを常にオンとすると、携帯電話機を閉じた状態ではユーザーが使用していないことが多いにもかかわらず、無駄な電流消費を引き起こす。
【０００６】
例えば、上述のように両面ディスプレイをフルに活用して、正面／背面ディスプレイを交互に見ている場合でも、ユーザーは一方のディスプレイを見ている瞬間は他方を見ていないので、他方のディスプレイ表示やバックライトのオフによる節電は可能である。しかしながら、このような場合、ユーザーは単に携帯端末装置を裏返すのみで特に操作（開閉操作やキー操作等）をしないので、ユーザーが今どちらのディスプレイを見ているかについて携帯端末装置は判別出来ない。
【０００７】
特許文献１記載の技術では、メインディスプレイ８への電源供給と背面ディスプレイ３への電源供給とを、折り畳み開閉動作、ボタン操作、着信状態等で切り替えている。しかしながら、ユーザーが携帯電話機を特に操作（開閉動作やボタン操作）することなく、両面ディスプレイを交互に見る時の節電には効果がない。又、特許文献２記載の技術では、１つのディスプレイ１４の電源オンオフを制御するに過ぎない。
【０００８】
本発明の目的は、上述した従来の課題を解決し、ユーザーの使用状況をより的確に把握し、それに合わせて正面側、背面側のディスプレイをより的確に切り替えることにより、ディスプレイの有効活用、消費電流の低減を図った折り畳み式携帯端末装置及びその制御方法を提供することにある。
【課題を解決するための手段】
【０００９】
本発明の折り畳み式携帯端末装置は、正面ディスプレイの裏側に背面ディスプレイを備えた折り畳み式携帯端末装置であって、前記携帯端末装置の角度を検出する重力センサと、前記正面ディスプレイ及び背面ディスプレイの表示のオン／オフを制御する制御手段と、前記携帯端末装置の折り畳み開閉状態を検出する検出手段と、反転ボタンと、を備え、前記制御手段は、前記検出手段の開閉状態検出結果と前記重力センサの検出結果とにより前記正面ディスプレイ及び背面ディスプレイの表示のオン／オフを制御すると共に、前記反転ボタンの操作に応じて、前記重力センサの検出結果と前記正面ディスプレイ及び背面ディスプレイの表示のオン／オフ制御との関係を反転させる、ことを特徴とする。
【００１２】
又、本発明の折り畳み式携帯端末装置において、前記重力センサによる角度の領域変化検出にヒステリシス特性を持たせるようにしても良い。
【００１３】
又、本発明の折り畳み式携帯端末装置において、キー入力部を更に備え、前記ヒステリシス特性を決定する角度をこのキー入力部により設定するようにしても良い。
【００１４】
本発明の折り畳み式携帯端末装置の制御方法は、正面ディスプレイの裏側に背面ディスプレイを備えた折り畳み式携帯端末装置の制御方法であって、重力センサにより前記携帯端末装置の角度を検出し、前記携帯端末装置の折り畳み開閉状態を検出する検出手段により前記折り畳み開閉状態を検出し、制御手段が、前記折り畳み開閉状態の検出結果と前記重力センサの検出結果とにより前記正面ディスプレイ及び背面ディスプレイの表示のオン／オフを制御すると共に、前記携帯端末装置に設けられた反転ボタンの操作に応じて、前記重力センサの検出結果と前記正面ディスプレイ及び背面ディスプレイの表示のオン／オフ制御との関係を反転させる、ことを特徴とする。
【００１８】
又、本発明の折り畳み式携帯端末装置の制御方法において、前記重力センサによる角度の領域変化検出にヒステリシス特性を持たせるようにしても良い。
【００１９】
又、本発明の折り畳み式携帯端末装置の制御方法において、前記ヒステリシス特性を決定する角度をキー入力部により設定するようにしても良い。
【発明の効果】
【００２１】
本発明は、折り畳み式携帯端末装置に重力センサを備え、特に操作が無くてもユーザーが両面ディスプレイのどちらを見ているかを携帯端末装置の体勢（角度、向き）により判断し、両面ディスプレイのオン／オフを切り替え制御することにより、より効果的に消費電力を低減出来るという効果を有している。
【発明を実施するための最良の形態】
【００２２】
次に本発明を実施するための最良の形態について図面を参照して詳細に説明する。図１は、本発明の一実施形態における正面側及び背面側のディスプレイ及びバックライトの配置関係を示す図である。図２は、本発明の一実施形態の主要機能ブロック図である。
【００２３】
本発明の一実施形態である折り畳み式の携帯端末装置１００は、図２に示すように、正面ディスプレイ１０１と、正面バックライト１０２と、背面ディスプレイ１０３と、背面バックライト１０４と、制御回路１０５と、重力センサ１０６と、開閉検出回路１０７と、キー入力部１０８とを備えている。
【００２４】
携帯端末装置１００は、図１に示すように、中央のヒンジを介して上側筐体と下側筐体とが折り畳み可能に連結されている。２つのディスプレイの配置関係は、携帯端末装置１００の一方の筐体（上側筐体）の内側（折り畳まれる側）には、正面ディスプレイ１０１と正面バックライト１０２が設けられている。更に、携帯端末装置１００の上側筐体の外側（背面側）には、背面ディスプレイ１０３と背面バックライト１０４が設けられている。
【００２５】
重力センサ１０６は、携帯端末装置１００の置かれた重力方向に対する角度を検知し、制御回路１０５にその角度情報を送る。重力センサ１０６は、携帯端末装置１００が開いた状態でも、閉じた状態でもディスプレイ面の地面に対する方向が変化しないように、正面ディスプレイ１０１、背面ディスプレイ１０３付近（即ち、同じ上側筐体の中）に実装される。
【００２６】
開閉検出回路１０７は、携帯端末装置１００のヒンジ部の折り畳みの開閉状態を検知し、制御回路１０５にその開閉状態情報を送る。キー入力部１０８は、ユーザーが使用する入力キー群やサイドキー群を含む。サイドキーの１つは、反転ボタンとされている。この反転ボタン（キー）の詳細は後述する。
【００２７】
制御回路１０５は、携帯端末装置１００の各部を制御する制御部として機能し、マイクロプロセッサ等で実現される。制御回路１０５は、重力センサ１０６からの角度情報他に応じて、正面ディスプレイ１０１、正面バックライト１０２と背面ディスプレイ１０３、背面バックライト１０４の動作のオン／オフを制御する。
【００２８】
次に、本発明を実施する為の最良の形態の動作について図面を参照して説明する。図３は本発明の一実施形態における重力センサ検出角度と領域の関係を説明する図である。図４及び図５は、本発明の一実施形態における重力センサ検出角度の領域変化検出でのヒステリシス特性を説明する図である。
【００２９】
重力センサ１０６は、図３に示すように、正面ディスプレイ１０１や背面ディスプレイ１０３の表面が地面に対し垂直（Ｚ軸）に立っている状態を基準（０度（°））とする。図３のように、ディスプレイ表面のＺ軸に対する角度θがα≦θ≦（１８０°−α）の場合を領域Ａと定義する。同様に、（１８０°＋α）≦θ≦（３６０°−α）の場合を領域Ｂと定義する。更に、領域Ａ、Ｂ以外の（３６０°−α）＜θ＜αまたは（１８０°−α）≦θ≦（１８０°＋α）の場合を不定領域とする。角度αは、領域変化にヒステリシスを持たせているもので、不定領域の範囲を決定する。角度αの値は、使い勝手に合わせてユーザーがキー入力部１０８を使用して自由に設定できるものとする。図３の奥行き方向であるＹ軸側（即ち、携帯端末装置１００の正面に向かった時の横方向）の変化は考慮しない。
【００３０】
図６に示すように、携帯端末装置１００の電源投入時に、制御回路１０５は重力センサ１０６からの角度情報を読み取り、０°≦θ＜１８０°の場合を状態Ａとし、１８０°≦θ＜３６０°の場合を状態Ｂとする。電源投入時に状態Ａにある場合、携帯端末装置１００は領域Ａにあるか、或いは図４に示すように不定領域にあり、不定領域を超えて領域Ｂに変化したところで状態Ｂに遷移する。一方、電源投入時に状態Ｂにある場合、携帯端末装置１００は領域Ｂにあるか、或いは図５に示すように不定領域にあり、不定領域を超えて領域Ａに変化したところで状態Ａに遷移する。
【００３１】
通常、ユーザーが起きあがった（座位、立位）状態で携帯端末装置１００を見るとき、状態Ａは正面ディスプレイ１０１を見ている状態であり、状態Ｂは背面ディスプレイ１０３を見ている状態である。これを「通常状態」とし、その場合の動作を図７に示す。又、ユーザーが寝転がって下から携帯端末装置１００を覗き込んでいる場合は、重力センサ１０６の検出結果とディスプレイ表示のオン／オフ必要性との関係が「通常状態」とは反対となる。その為、本実施形態では、上述の反転ボタンの操作により、重力センサ１０６の検出結果と正面／背面のディスプレイ表示のオン／オフ制御との関係を反転させる機能を有している。この反転ボタン操作時の動作は後述する。
【００３２】
図７を参照して、通常状態の動作を説明する。ここで、携帯端末装置１００の折り畳み状態を「開き状態」と「閉じ状態」とに分け、更に「開き状態」では「設定１」と「設定２」との２種類の設定を備えている。「設定１」は、背面ディスプレイ１０３を使用可能とする設定である。一方、「設定２」は、背面ディスプレイ１０３を使用不可とする設定である。この設定では、背面ディスプレイ１０３は常にオフであり、ユーザーが正面ディスプレイ１０１を下にして携帯端末装置１００を置いた場合など、正面ディスプレイ１０１を見ていないときには、全てのディスプレイをオフするため、電力消費の低減が図れる。
【００３３】
図７の「開き状態」の「設定１」においては、携帯端末装置１００を開いた状態で、かつ状態Ａでは、正面ディスプレイ１０１及び正面バックライト１０２はオン（ディスプレイ表示オン、バックライト点灯）となり、背面ディスプレイ１０３及び背面バックライト１０４はオフとなる（ディスプレイ表示オフ、バックライト消灯）。一方、状態Ｂでは、正面ディスプレイ１０１及び正面バックライト１０２はオフとなり、背面ディスプレイ１０３及び背面バックライト１０４はオンとなる。
【００３４】
この「開き状態」の「設定１」では、ユーザーが見ている側のディスプレイのみオンし、見ていない側のディスプレイはオフとされるため、ユーザーが特別の操作をしなくても電力消費の低減が図れる。ユーザーは、図３のように携帯端末装置１００を裏表に回転させることで、正面ディスプレイ１０１、背面ディスプレイ１０３の見ていない側のディスプレイをオフにしつつ（消費電力低減）、それぞれのディスプレイに異なる情報を表示できる（情報表示量の拡大）。
【００３５】
図７の「開き状態」の「設定２」においては、携帯端末装置１００を開いた状態で、かつ状態Ａでは、正面ディスプレイ１０１及び正面バックライト１０２はオンとなり、背面ディスプレイ１０３及び背面バックライト１０４はオフとなる。一方、状態Ｂでは、正面ディスプレイ１０１、正面バックライト１０２、背面ディスプレイ１０３及び背面バックライト１０４はすべてオフとなる。
【００３６】
この「開き状態」の「設定２」では、背面ディスプレイ１０３は常にオフであり、ユーザーが正面ディスプレイ１０１を下にして携帯端末装置を置いた場合（状態Ｂ）等、正面ディスプレイ１０１を見ていないときにこれをオフにするため、電力消費の低減が図れる。
【００３７】
図７の「閉じ状態」においては、携帯端末装置１００を閉じた状態で、かつ状態Ａでは、正面ディスプレイ１０１、正面バックライト１０２、背面ディスプレイ１０３及び背面バックライト１０４はすべてオフとなる。一方、状態Ｂでは、正面ディスプレイ１０１及び正面バックライト１０２はオフとなり、背面ディスプレイ１０３及び背面バックライト１０４はオンとなる。
【００３８】
この「閉じ状態」では、ユーザーが背面ディスプレイ１０３を下にして携帯端末装置１００を置いた場合（状態Ａ）等、背面ディスプレイ１０３を見ていないときにこれをオフにするため、電力消費の低減が図れる。
【００３９】
次に、図８を参照して、上述の反転ボタン押下時の状態と動作と関係について説明する。ユーザーが寝転がって下から携帯端末装置１００を覗き込んだ場合、重力方向が逆となるので、反転ボタンをオンにして、正面及び背面のディスプレイ表示及びバックライトのオン／オフ制御を反転させる。即ち、制御回路１０５から正面ディスプレイ１０１及び正面バックライト１０２に送られるべき制御信号を背面ディスプレイ１０３及び背面バックライト１０４に送る。一方、背面ディスプレイ１０３及び背面バックライト１０４に送られるべき制御信号は、正面ディスプレイ１０１及び正面バックライト１０２に送られる。この反転ボタンは、携帯端末装置１００を閉じているときでも押せるよう、サイドキーを利用することが好ましい。
【００４０】
図８の「開き状態」の「設定１」においては、携帯端末装置１００を開いた状態で、かつ状態Ａでは、正面ディスプレイ１０１及び正面バックライト１０２はオフとなり、背面ディスプレイ１０３及び背面バックライト１０４はオンとなる。この状態では、ユーザーは下方向から背面ディスプレイ１０３を見ることになる。一方、状態Ｂでは、正面ディスプレイ１０１及び正面バックライト１０２はオンとなり、背面ディスプレイ１０３及び背面バックライト１０４はオフとなる。この状態では、ユーザーは下方向から正面ディスプレイ１０１を見ることになる。
【００４１】
図８の「開き状態」の「設定２」においては、携帯端末装置１００を開いた状態で、かつ状態Ａでは、正面ディスプレイ１０１、正面バックライト１０２、背面ディスプレイ１０３及び背面バックライト１０４はすべてオフとなる。一方、状態Ｂでは、正面ディスプレイ１０１及び正面バックライト１０２はオンとなり、背面ディスプレイ１０３及び背面バックライト１０４はオフとなる。
【００４２】
図８の「閉じ状態」においては、携帯端末装置１００を閉じた状態で、かつ状態Ａでは、正面ディスプレイ１０１及び正面バックライト１０２はオフとなり、背面ディスプレイ１０３及び背面バックライト１０４はオンとなる。一方、状態Ｂでは、正面ディスプレイ１０１、正面バックライト１０２、背面ディスプレイ１０３及び背面バックライト１０４はすべてオフとなる。
【００４３】
尚、本発明は上述の実施形態のみに限定されるものではなく、本発明の要旨を逸脱しない範囲で種々変形して実施することが出来る。
【図面の簡単な説明】
【００４４】
【図１】本発明の一実施形態における正面側及び背面側のディスプレイ及びバックライトの配置関係を示す図である。
【図２】本発明の一実施形態の主要機能ブロック図である。
【図３】本発明の一実施形態における重力センサ検出角度と領域の関係を説明する図である。
【図４】本発明の一実施形態における重力センサ検出角度の領域変化検出でのヒステリシス特性を説明する図である。
【図５】本発明の一実施形態における重力センサ検出角度の領域変化検出でのヒステリシス特性を説明する図である。
【図６】本発明の一実施形態における状態遷移図である。
【図７】本発明の一実施形態で通常状態（反転ボタン非押下状態）における各ディスプレイ動作状態を説明する図である。
【図８】本発明の一実施形態で反転ボタン押下状態における各ディスプレイ動作状態を説明する図である。
【符号の説明】
【００４５】
１０１    正面ディスプレイ
１０２    正面バックライト
１０３    背面ディスプレイ
１０４    背面バックライト
１０５    制御回路
１０６    重力センサ
１０７    開閉検出回路
１０８    キー入力部
【図１】
0004569510.tif 000002
【図２】
0004569510.tif 000003
【図３】
0004569510.tif 000004
【図４】
0004569510.tif 000005
【図５】
0004569510.tif 000006
【図６】
0004569510.tif 000007
【図７】
0004569510.tif 000008
【図８】
0004569510.tif 000009